(57)【特許請求の範囲】
【請求項１】
情報送信方法であって、ネットワーク装置により、
第１プロトコルレイヤにおいて第１情報及び第２情報を生成するステップであって、前記第１情報はシステム情報を含み、前記第２情報は１つ以上の同期信号ブロックSSBに対応する時間周波数リソースを決定するために使用され、前記第１プロトコルレイヤは物理レイヤより上位のプロトコルレイヤである、ステップと、
前記第１プロトコルレイヤにおいて、第１メッセージを生成するために前記第１情報に対してカプセル化処理を実行するステップと、
前記第１プロトコルレイヤにおいて、第２メッセージを生成するために前記第２情報に対してカプセル化処理を実行するステップと、
前記第１メッセージを前記第１プロトコルレイヤと前記物理レイヤとの間の第１中間チャネルにマッピングし、前記第１メッセージを前記物理レイヤへ送信するステップと、
前記第２メッセージを前記第１プロトコルレイヤと前記物理レイヤとの間の第２中間チャネルにマッピングし、前記第２メッセージを前記物理レイヤへ送信するステップであって、前記第２中間チャネルは、前記第１中間チャネルと異なる論理チャネル及び異なるトランスポートチャネルを有する、ステップと、
前記第１情報及び前記第２情報に対して物理レイヤ処理を実行するステップと、
前記SSB内の物理ブロードキャストチャネルPBCHを用いて、前記物理レイヤ処理に基づき取得されたデータを送信するステップと、
を含む方法。
【請求項２】
前記第１情報及び前記第２情報に対して物理レイヤ処理を実行する前記ステップは、
前記物理レイヤにおいて、前記第１中間チャネルを用いて受信した前記第１メッセージ及び前記第２中間チャネルを用いて受信した前記第２メッセージに対して物理レイヤ処理を実行するステップであって、前記第１メッセージ及び前記第２メッセージは全体として使用される、ステップを含む、請求項１に記載の方法。
【請求項３】
前記第１情報及び前記第２情報に対して物理レイヤ処理を実行する前記ステップは、
前記物理レイヤにおいて、前記第１中間チャネルを用いて受信した前記第１メッセージ及び前記第２中間チャネルを用いて受信した前記第２メッセージの各々に対して物理レイヤ処理を実行するステップを含む、請求項１に記載の方法。
【請求項４】
前記第２情報は、
第１SSBの属するSSバーストセットの中の前記第１SSBの第１時間インデックスTI、又は、
前記第１SSBの属するSSバーストの中の第１SSBの第２TIと前記SSバーストの属するSSバーストセットの中の前記SSバーストの第３TIとの組み合わせ、
を含む、請求項１乃至３のいずれか一項に記載の方法。
【請求項５】
情報受信方法であって、端末装置により、
物理ブロードキャストチャネルPBCHで、ネットワーク装置により送信されたデータを受信するステップと、
物理レイヤにおいて前記受信したデータに対して物理レイヤ処理を実行して、前記物理レイヤ処理の実行された第１データ及び第２データを取得するステップと、
第１プロトコルレイヤと前記物理レイヤとの間の第１中間チャネルに、前記物理レイヤ処理の実行された前記第１データをマッピングし、前記第１データを前記第１プロトコルレイヤへ送信するステップと、
前記第１プロトコルレイヤと前記物理レイヤとの間の第２中間チャネルに、前記物理レイヤ処理の実行された前記第２データをマッピングし、前記第２データを前記第１プロトコルレイヤへ送信するステップと、
前記第１プロトコルレイヤにおいて、前記第１中間チャネルを用いて受信した前記第１データに対してカプセル化解除処理を実行して、第１情報を取得するステップと、
前記第１プロトコルレイヤにおいて、前記第２中間チャネルを用いて受信した前記第２データに対してカプセル化解除処理を実行して、第２情報を取得するステップと、
を含み、
前記第１情報はシステム情報を含み、前記第２情報は前記データを伝達する１つ以上の同期信号ブロックSSBに対応する時間周波数リソースを決定するために使用され、前記第２中間チャネルは、前記第１中間チャネルと異なる論理チャネル及び異なるトランスポートチャネルを有する、
方法。
【請求項６】
前記端末装置により受信された前記データは、第３データ及び第４データを含み、
前記方法は、前記端末装置により、
前記物理レイヤにおいて前記第３データに対して物理レイヤ処理を実行して、前記物理レイヤ処理の実行された前記第３データを取得するステップと、
前記物理レイヤにおいて前記第４データに対して物理レイヤ処理を実行して、前記物理レイヤ処理の実行された前記第４データを取得するステップと、
前記第１プロトコルレイヤと前記物理レイヤとの間の第１中間チャネルに、前記物理レイヤ処理の実行された前記第３データをマッピングし、前記第３データを前記第１プロトコルレイヤへ送信するステップと、
前記第１プロトコルレイヤと前記物理レイヤとの間の第２中間チャネルに、前記物理レイヤ処理の実行された前記第４データをマッピングし、前記第４データを前記第１プロトコルレイヤへ送信するステップと、
を更に含み、
前記第１プロトコルレイヤにおいて、前記第１中間チャネルを用いて受信した前記第１データに対してカプセル化解除処理を実行して、第１情報を取得するステップは、前記第１プロトコルレイヤにおいて、前記第１中間チャネルを用いて受信した前記第３データに対してカプセル化解除処理を実行して、前記第１情報を取得するステップを含み、
前記第１プロトコルレイヤにおいて、前記第２中間チャネルを用いて受信した前記第２データに対してカプセル化解除処理を実行して、第２情報を取得するステップは、前記第１プロトコルレイヤにおいて、前記第２中間チャネルを用いて受信した前記第４データに対してカプセル化解除処理を実行して、前記第２情報を取得するステップを含む、
請求項５に記載の方法。
【請求項７】
前記第２情報は、
第１SSBの属するSSバーストセットの中の前記第１SSBの第１時間インデックスTI、又は、
前記第１SSBの属するSSバーストの中の前記第１SSBの第２TIと前記SSバーストの属するSSバーストセットの中の前記SSバーストの第３TIとの組み合わせ、
を含む、請求項５乃至６のいずれか一項に記載の方法。
【請求項８】
ネットワーク装置であって、
第１プロトコルレイヤにおいて第１情報及び第２情報を生成するよう構成される処理ユニットであって、前記第１情報はシステム情報を含み、前記第２情報は１つ以上の同期信号ブロックSSBに対応する時間周波数リソースを決定するために使用され、前記第１プロトコルレイヤは物理レイヤより上位のプロトコルレイヤであり、
前記処理ユニットは、
前記第１プロトコルレイヤにおいて、第１メッセージを生成するために前記第１情報に対してカプセル化処理を実行し、
前記第１プロトコルレイヤにおいて、第２メッセージを生成するために前記第２情報に対してカプセル化処理を実行し、
前記第１メッセージを前記第１プロトコルレイヤと前記物理レイヤとの間の第１中間チャネルにマッピングし、前記第１メッセージを前記物理レイヤへ送信し、
前記第２メッセージを前記第１プロトコルレイヤと前記物理レイヤとの間の第２中間チャネルにマッピングし、前記第２メッセージを前記物理レイヤへ送信し、
前記第１情報及び前記第２情報に対して物理レイヤ処理を実行するよう構成され、前記第２中間チャネルは、前記第１中間チャネルと異なる論理チャネル及び異なるトランスポートチャネルを有する、処理ユニットと、
前記SSB内の物理ブロードキャストチャネルPBCHを用いて、前記物理レイヤ処理に基づき取得されたデータを送信するよう構成される通信機ユニットと、
を含むネットワーク装置。
【請求項９】
前記処理ユニットは、
前記物理レイヤにおいて、前記第１中間チャネルを用いて受信された前記第１メッセージ及び前記第２中間チャネルを用いて受信された前記第２メッセージに対して物理レイヤ処理を実行するよう構成され、前記第１メッセージ及び前記第２メッセージは全体として使用される、請求項８に記載のネットワーク装置。
【請求項１０】
前記処理ユニットは、
前記物理レイヤにおいて、前記第１中間チャネルを用いて受信された前記第１メッセージ及び前記第２中間チャネルを用いて受信された前記第２メッセージの各々に対して物理レイヤ処理を実行するよう構成される、請求項８に記載のネットワーク装置。
【請求項１１】
前記第２情報は、
第１SSBの属するSSバーストセットの中の前記第１SSBの第１時間インデックスTI、又は、
前記第１SSBの属するSSバーストの中の第１SSBの第２TIと前記SSバーストの属するSSバーストセットの中の前記SSバーストの第３TIとの組み合わせ、
を含む、請求項８乃至１０のいずれか一項に記載のネットワーク装置。
【請求項１２】
端末装置であって、
物理ブロードキャストチャネルPBCHで、ネットワーク装置により送信されたデータを受信するよう構成される通信機ユニットと、
物理レイヤにおいて前記受信したデータに対して物理レイヤ処理を実行するよう構成される処理ユニットと、
を含み、
前記処理ユニットは、
前記物理レイヤにおいて前記受信したデータに対して物理レイヤ処理を実行して、前記物理レイヤ処理の実行された第１データ及び第２データを取得し、
第１プロトコルレイヤと前記物理レイヤとの間の第１中間チャネルに、前記物理レイヤ処理の実行された前記第１データをマッピングし、前記第１データを前記第１プロトコルレイヤへ送信し、
前記第１プロトコルレイヤと前記物理レイヤとの間の第２中間チャネルに、前記物理レイヤ処理の実行された前記第２データをマッピングし、前記第２データを前記第１プロトコルレイヤへ送信し、
前記第１プロトコルレイヤにおいて、前記第１中間チャネルを用いて受信した前記第１データに対してカプセル化解除処理を実行して、第１情報を取得し、
前記第１プロトコルレイヤにおいて、前記第２中間チャネルを用いて受信した前記第２データに対してカプセル化解除処理を実行して、第２情報を取得するよう構成され、
前記第１情報はシステム情報を含み、前記第２情報は前記データを伝達する１つ以上の同期信号ブロックSSBに対応する時間周波数リソースを決定するために使用され、前記第２中間チャネルは、前記第１中間チャネルと異なる論理チャネル及び異なるトランスポートチャネルを有する、端末装置。
【請求項１３】
前記通信機ユニットにより受信した前記データは、第３データ及び第４データを含み、
前記処理ユニットは、
前記物理レイヤにおいて前記受信した第３データに対して物理レイヤ処理を実行して、前記物理レイヤ処理の実行された前記第３データを取得し、
前記物理レイヤにおいて前記受信した第４データに対して物理レイヤ処理を実行して、前記物理レイヤ処理の実行された前記第４データを取得し、
前記第１プロトコルレイヤと前記物理レイヤとの間の第１中間チャネルに、前記物理レイヤ処理の実行された前記第３データをマッピングし、前記第３データを前記第１プロトコルレイヤへ送信し、
前記第１プロトコルレイヤと前記物理レイヤとの間の第２中間チャネルに、前記物理レイヤ処理の実行された前記第４データをマッピングし、前記第４データを前記第１プロトコルレイヤへ送信し、
前記第１プロトコルレイヤにおいて、前記第１中間チャネルを用いて受信した前記第３データに対してカプセル化解除処理を実行して、前記第１情報を取得し、
前記第１プロトコルレイヤにおいて、前記第２中間チャネルを用いて受信した前記第４データに対してカプセル化解除処理を実行して、前記第２情報を取得する、
よう構成される、請求項１２に記載の端末装置。
【請求項１４】
前記第２情報は、
第１SSBの属するSSバーストセットの中の前記第１SSBの第１時間インデックスTI、又は、
前記第１SSBの属するSSバーストの中の前記第１SSBの第２TIと前記SSバーストの属するSSバーストセットの中の前記SSバーストの第３TIとの組み合わせ、
を含む、請求項１２又は１３に記載の端末装置。
【請求項１５】
命令を含むコンピュータ可読記憶媒体であって、前記命令は、コンピュータにより実行されると、前記コンピュータに請求項１乃至７のいずれか一項に記載の方法を実行させる、コンピュータ可読記憶媒体。
【請求項１６】
命令を含むプログラムであって、前記命令は、コンピュータにより実行されると、前記コンピュータに請求項１乃至７のいずれか一項に記載の方法を実行させる、プログラム。
【発明の詳細な説明】
【技術分野】
【０００１】
［関連出願］
本願は、参照によりその全体がここに組み込まれる中国特許出願番号２０１７１０３１３２８１．X、２０１７年５月５日に中国特許庁に出願、名称「INFORMATION  SENDING  AND  RECEIVING  METHOD,  NETWORK  DEVICE,  AND  TERMINAL  DEVICE」の優先権を主張する。
【０００２】
［技術分野］
本願は、通信分野に関し、より具体的には、情報送信及び受信方法、ネットワーク装置、及び端末装置に関する。
【背景技術】
【０００３】
新無線アクセス技術（New  Radio  Access  Technology,  NR）システムでは、複数のビームが考慮されるので、同期信号ブロック（Synchronization  Signal  Block,  SSB）が導入される。ビームとSSBとの間には構成可能なマッピング関係がある。例えば、複数のビームでは、異なるSSBが各ビームで送信され、又は同じSSBが２つのビームで送信されてよい。各SSBは、NR１次同期信号（NR-Primary  Synchronization  Signal,  NR-PSS）、NR２次同期信号（NR-Secondary  Synchronization  Signal,  NR-SSS）、及び物理ブロードキャストチャネル（Physical  Broadcast  Channel,  PBCH）を含んでよい。ネットワーク装置は、１つ以上の無線フレームを周期として用いて１つ以上のSSBを周期的に送信してよく、１周期中に送信される１つ以上のSSBは１つのSSバーストセット（SS  burst  set）を構成してよい。
【０００４】
SSを送信する前述の方法を検討すると、端末装置によるSSBの検出を実施するため又はより多くの機能を実施するために、幾つかの追加情報がSSB内で伝達される必要がある。例えば、SSBの属するSS  burst  setの中で、各SSBの相対位置は固定される。言い換えると、ネットワーク装置により各SSBを送信するために使用される時間ドメインリソースは相対的に固定される。したがって、端末装置は、セル無線フレームとの時系列整合を達成するために、現在受信しているSSBに基づき、セルのフレーム境界及びスロット境界を推定し得る。しかしながら、１つのSS  burst  setは複数のSSBを含み得るので、端末装置は、セル無線フレームとの時系列整合を達成するために、SSBの属するSS  burst  setの中の、受信したSSBの相対位置を知る必要がある。
【０００５】
したがって、ネットワーク装置が端末装置に、SSBの属するSS  burst  setの中の、ネットワーク装置により現在送信されているSSBの相対位置をどのように示すかが、解決されるべき緊急の技術的問題になっている。
【発明の概要】
【０００６】
本願は、セル無線フレームとの時系列整合を実施するために、SSBの属するSS  burst  setの中の、SSBの時間周波数リソースを決定するために使用される情報を、SSBの中で端末装置へ送信する、情報送信及び受信方法、ネットワーク装置、及び端末装置を提供する。
【０００７】
第１の態様によると、情報送信方法が提供される。当該方法は、ネットワーク装置により、第１プロトコルレイヤにおいて第１情報及び第２情報を生成するステップであって、前記第１情報はシステム情報を含み、前記第２情報は１つ以上の同期信号ブロックSSBに対応する時間周波数リソースを決定するために使用され、前記第１プロトコルレイヤは物理レイヤより上位のプロトコルレイヤである、ステップと、前記ネットワーク装置により、前記第１情報及び前記第２情報を前記第１プロトコルレイヤから前記物理レイヤへ送信するステップと、前記ネットワーク装置により、前記第１情報及び前記第２情報に対して物理レイヤ処理を実行するステップと、前記ネットワーク装置により、前記SSB内の物理ブロードキャストチャネルPBCHを用いて、前記物理レイヤ処理の後に取得されたデータを送信するステップと、を含む。
【０００８】
NRでは、複数のビームをサポートするために、複数のSSBが各無線フレーム内で送信され得る。SSBを受信するとき、端末装置は、SSBとフレーム境界及びスロット境界の各々との間の相対位置関係が分からず、フレーム境界及びスロット境界を推定できない。SSBの属するSS  burst  setの中で、各SSBの相対位置は固定される。言い換えると、各SSBにより占有される時間ドメインリソースは相対的に固定されてよい。したがって、本願の本実施形態は、SSBの時間周波数リソースを決定するために使用される情報をSSBに追加し、該情報を端末装置へ送信するために、情報送信方法を提供する。その結果、端末装置は、該情報に基づき、SS  burst  setの中の、受信したSSBの時間周波数リソースを決定し、フレーム境界及びセル境界を決定して、セル無線フレームとの時系列整合を実施する。
【０００９】
本願の本実施形態では、ネットワーク装置は、第１情報及び第２情報を第１プロトコルレイヤにおいて生成し、第１情報及び第２情報を後述する異なるデータ処理方法で処理し、最後に、第１情報及び第２情報をSSB内のPBCHを用いて端末装置へ送信する。
【００１０】
任意で、前記ネットワーク装置により、前記第１情報及び前記第２情報を前記第１プロトコルレイヤから前記物理レイヤへ送信する前記ステップは、前記ネットワーク装置により、前記第１プロトコルレイヤにおいて、全体として第１メッセージを生成するために使用される前記第１情報及び前記第２情報に対してカプセル化処理を実行するステップと、前記ネットワーク装置により、前記第１メッセージを前記第１プロトコルレイヤと前記物理レイヤとの間の中間チャネルにマッピングし、前記第１メッセージを前記物理レイヤへ送信するステップと、を含み、前記中間チャネルは、同じ論理チャネル及び同じトランスポートチャネルを含む。
【００１１】
任意で、前記ネットワーク装置により、前記第１情報及び前記第２情報を前記第１プロトコルレイヤから前記物理レイヤへ送信する前記ステップは、前記ネットワーク装置により、前記第１プロトコルレイヤにおいて、第１メッセージを生成するために前記第１情報に対してカプセル化処理を実行するステップと、前記ネットワーク装置により、前記第１プロトコルレイヤにおいて、第２メッセージを生成するために前記第２情報に対してカプセル化処理を実行するステップと、前記ネットワーク装置により、前記第１メッセージ及び前記第２メッセージを前記第１プロトコルレイヤと前記物理レイヤとの間の中間チャネルにマッピングし、前記第１メッセージ及び前記第２メッセージを前記物理レイヤへ送信するステップと、を含み、前記中間チャネルは、同じ論理チャネル及び同じトランスポートチャネルを含み、又は、前記中間チャネルは、異なる論理チャネル及び同じトランスポートチャネルを含む。
【００１２】
任意で、前記ネットワーク装置により、前記第１情報及び前記第２情報を前記第１プロトコルレイヤから前記物理レイヤへ送信する前記ステップは、前記ネットワーク装置により、前記第１プロトコルレイヤにおいて、第１メッセージを生成するために前記第１情報に対してカプセル化処理を実行するステップと、前記ネットワーク装置により、前記第１プロトコルレイヤにおいて、第２メッセージを生成するために前記第２情報に対してカプセル化処理を実行するステップと、前記ネットワーク装置により、前記第１メッセージを前記第１プロトコルレイヤと前記物理レイヤとの間の第１中間チャネルにマッピングし、前記第１メッセージを前記物理レイヤへ送信するステップと、前記ネットワーク装置により、前記第２メッセージを前記第１プロトコルレイヤと前記物理レイヤとの間の第２中間チャネルにマッピングし、前記第２メッセージを前記物理レイヤへ送信するステップと、を含む。
【００１３】
任意で、前記ネットワーク装置により、前記第１情報及び前記第２情報に対して物理レイヤ処理を実行する前記ステップは、前記ネットワーク装置により、前記物理レイヤにおいて、前記第１中間チャネルを用いて受信した前記第１メッセージ及び前記第２中間チャネルを用いて受信した前記第２メッセージに対して物理レイヤ処理を実行するステップであって、前記第１メッセージ及び前記第２メッセージは全体として使用される、ステップを含む。
【００１４】
任意で、前記ネットワーク装置により、前記第１情報及び前記第２情報に対して物理レイヤ処理を実行する前記ステップは、前記ネットワーク装置により、前記物理レイヤにおいて、前記第１中間チャネルを用いて受信した前記第１メッセージ及び前記第２中間チャネルを用いて受信した前記第２メッセージの各々に対して物理レイヤ処理を実行するステップを含む。
【００１５】
第２の態様によると、情報受信方法が提供される。当該方法は、端末装置により、物理ブロードキャストチャネルPBCHで、ネットワーク装置により送信されたデータを受信するステップと、前記端末装置により、前記物理レイヤにおいて前記受信したデータに対して物理レイヤ処理を実行するステップと、前記端末装置により、前記物理レイヤから前記第１プロトコルレイヤへ、前記物理レイヤ処理の実行された前記データを送信するステップと、前記端末装置により、前記第１プロトコルレイヤにおいて、前記物理レイヤ処理の実行された前記データを処理して、第１情報及び第２情報を取得するステップであって、前記第１情報はシステム情報を含み、前記第２情報は前記データを伝達する１つ以上の同期信号ブロックSSBに対応する時間周波数リソースを決定するために使用される、ステップと、を含む。
【００１６】
NRでは、複数のビームをサポートするために、複数のSSBが各無線フレーム内で送信され得る。SSBを受信するとき、端末装置は、SSBとフレーム境界及びスロット境界の各々との間の相対位置関係が分からず、フレーム境界及びスロット境界を推定できない。SSBの属するSS  burst  setの中で、各SSBの相対位置は固定される。言い換えると、各SSBにより占有される時間ドメインリソースは相対的に固定されてよい。したがって、本願の本実施形態は、SSBの時間周波数リソースを決定するために使用される情報をSSBに追加し、該情報を端末装置へ送信するために、情報受信方法を提供する。その結果、端末装置は、該情報に基づき、SS  burst  setの中の、受信したSSBの時間周波数リソースを決定し、フレーム境界及びセル境界を決定して、セル無線フレームとの時系列整合を実施する。
【００１７】
本願の本実施形態では、端末装置は、後述する異なるデータ処理方法で、PBCHで受信したデータを処理して、第１情報及び第２情報を第１プロトコルレイヤから取得してよい。
【００１８】
任意で、前記端末装置により、前記物理レイヤから前記第１プロトコルレイヤへ、前記物理レイヤ処理の実行された前記データを送信する前記ステップは、前記端末装置により、前記第１プロトコルレイヤと前記物理レイヤとの間の中間チャネルに、前記物理レイヤ処理の実行された前記データをマッピングし、前記データを前記第１プロトコルレイヤへ送信するステップを含み、前記端末装置により、前記第１プロトコルレイヤにおいて、前記物理レイヤ処理の実行された前記データを処理して、第１情報及び第２情報を取得する前記ステップは、前記端末装置により、前記第１プロトコルレイヤにおいて、前記中間チャネルを用いて受信した前記データに対してカプセル化解除処理を実行して、前記第１情報及び前記第２情報を結合することにより形成された全体を取得し、前記第１情報及び前記第２情報を結合することにより形成された前記全体から前記第１情報及び前記第２情報を取得するステップを含み、前記中間チャネルは、同じ論理チャネル及び同じトランスポートチャネルを含む。
【００１９】
任意で、前記端末装置により、前記物理レイヤから前記第１プロトコルレイヤへ、前記物理レイヤ処理の実行された前記データを送信する前記ステップは、前記端末装置により、前記第１プロトコルレイヤと前記物理レイヤとの間の中間チャネルに、前記物理レイヤ処理の実行された前記データをマッピングし、前記データを前記第１プロトコルレイヤへ送信するステップを含み、前記端末装置により、前記第１プロトコルレイヤにおいて、前記物理レイヤ処理の実行された前記データを処理して、第１情報及び第２情報を取得する前記ステップは、前記端末装置により、前記第１プロトコルレイヤにおいて、前記中間チャネルを用いて受信した前記データに対してカプセル化解除処理を実行して、前記第１情報及び前記第２情報を取得するステップを含み、前記中間チャネルは、同じ論理チャネル及び同じトランスポートチャネルを含む、又は、前記中間チャネルは、異なる論理チャネル及び同じトランスポートチャネルを含む。
【００２０】
任意で、前記端末装置により、前記物理レイヤにおいて前記受信したデータに対して物理レイヤ処理を実行する前記ステップは、前記端末装置により、前記物理レイヤにおいて前記受信したデータに対して物理レイヤ処理を実行して、前記物理レイヤ処理の実行された第１データ及び第２データを取得するステップを含み、前記端末装置により、前記物理レイヤから前記第１プロトコルレイヤへ、前記物理レイヤ処理の実行された前記データを送信する前記ステップは、前記端末装置により、前記第１プロトコルレイヤと前記物理レイヤとの間の第１中間チャネルに、前記物理レイヤ処理の実行された前記第１データをマッピングし、前記第１データを前記第１プロトコルレイヤへ送信するステップと、前記端末装置により、前記第１プロトコルレイヤと前記物理レイヤとの間の第２中間チャネルに、前記物理レイヤ処理の実行された前記第２データをマッピングし、前記第２データを前記第１プロトコルレイヤへ送信するステップと、を含み、前記端末装置により、前記第１プロトコルレイヤにおいて、前記物理レイヤ処理の実行された前記データを処理して、第１情報及び第２情報を取得する前記ステップは、前記端末装置により、前記第１プロトコルレイヤにおいて、前記第１中間チャネルを用いて受信した前記第１データに対してカプセル化解除処理を実行して、前記第１情報を取得するステップと、前記端末装置により、前記第１プロトコルレイヤにおいて、前記第２中間チャネルを用いて受信した前記第２データに対してカプセル化解除処理を実行して、前記第２情報を取得するステップと、を含む。
【００２１】
任意で、前記端末装置により受信された前記データは、第３データ及び第４データを含み、前記端末装置により、前記物理レイヤにおいて前記受信したデータに対して物理レイヤ処理を実行する前記ステップは、前記端末装置により、前記物理レイヤにおいて前記第３データに対して物理レイヤ処理を実行して、前記物理レイヤ処理の実行された前記第３データを取得するステップと、前記端末装置により、前記物理レイヤにおいて前記第４データに対して物理レイヤ処理を実行して、前記物理レイヤ処理の実行された前記第４データを取得するステップと、を含み、前記端末装置により、前記物理レイヤから前記第１プロトコルレイヤへ、前記物理レイヤ処理の実行された前記データを送信する前記ステップは、前記端末装置により、前記第１プロトコルレイヤと前記物理レイヤとの間の第１中間チャネルに、前記物理レイヤ処理の実行された前記第３データをマッピングし、前記第３データを前記第１プロトコルレイヤへ送信するステップと、前記端末装置により、前記第１プロトコルレイヤと前記物理レイヤとの間の第２中間チャネルに、前記物理レイヤ処理の実行された前記第４データをマッピングし、前記第４データを前記第１プロトコルレイヤへ送信するステップと、を含み、前記端末装置により、前記第１プロトコルレイヤにおいて、前記物理レイヤ処理の実行された前記データを処理して、第１情報及び第２情報を取得する前記ステップは、前記端末装置により、前記第１プロトコルレイヤにおいて、前記第１中間チャネルを用いて受信した前記第３データに対してカプセル化解除処理を実行して、前記第１情報を取得するステップと、前記端末装置により、前記第１プロトコルレイヤにおいて、前記第２中間チャネルを用いて受信した前記第４データに対してカプセル化解除処理を実行して、前記第２情報を取得するステップと、を含む。
【００２２】
第３の態様によると、ネットワーク装置が提供される。ネットワーク装置は、第１の態様又は第１の態様の可能な実装のうちのいずれか１つにおける情報送信方法を実行するよう構成されるユニットを含む。
【００２３】
第４の態様によると、端末装置が提供される。端末装置は、第２の態様又は第２の態様の可能な実装のうちのいずれか１つにおける情報受信方法を実行するよう構成されるユニットを含む。
【００２４】
第５の態様によると、ネットワーク装置が提供される。ネットワーク装置は、プロセッサ、通信機、及びメモリを含む。プロセッサは、信号を受信し及び送信するよう通信機を制御するよう構成される。メモリは、コンピュータプログラムを格納するよう構成される。プロセッサは、メモリからコンピュータプログラムを呼び出し、コンピュータプログラムを実行するよう構成される。その結果、ネットワーク装置は、第１の態様又は第１の態様の可能な実装のうちのいずれか１つにおける方法を実行可能にされる。
【００２５】
第６の態様によると、端末装置が提供される。端末装置は、通信機、プロセッサ、及びメモリを含む。プロセッサは、信号を受信し及び送信するよう通信機を制御するよう構成される。メモリは、コンピュータプログラムを格納するよう構成される。プロセッサは、メモリからコンピュータプログラムを呼び出し、コンピュータプログラムを実行するよう構成される。その結果、端末装置は、第２の態様又は第２の態様の可能な実装のうちのいずれか１つにおける方法を実行可能にされる。
【００２６】
第７の態様によると、コンピュータプログラムプロダクトが提供される。コンピュータプログラムプロダクトは、コンピュータプログラムコードを含み、コンピュータプログラムコードがネットワーク装置により実行されると、ネットワーク装置は、第１の態様又は第１の態様の可能実装のうちのいずれか１つの方法を実行可能にされる。
【００２７】
第８の態様によると、コンピュータプログラムプロダクトが提供される。コンピュータプログラムプロダクトは、コンピュータプログラムコードを含み、コンピュータプログラムコードが端末装置により実行されると、端末装置は、第２の態様又は第２の態様の可能実装のうちのいずれか１つの方法を実行可能にされる。
【００２８】
第９の態様によると、コンピュータ可読媒体が提供される。コンピュータ記憶媒体はプログラムコードを格納し、プログラムコードは、第１の態様又は第１の態様の可能な実装のうちのいずれか１つにおける方法を実行するために使用される指示を含む。
【００２９】
第１０の態様によると、コンピュータ可読媒体が提供される。コンピュータ可読媒体はプログラムコードを格納し、プログラムコードは、第２の態様又は第２の態様の可能な実装のうちのいずれか１つにおける方法を実行するために使用される指示を含む。
【００３０】
第１０の態様によると、チップシステムが提供される。チップシステムは、プロセッサを含み、プロセッサは、メモリからコンピュータプログラムを呼び出し、コンピュータプログラムを実行するよう構成され、コンピュータプログラムは前述の態様における方法を実施するよう構成される。
【００３１】
任意で、第１中間チャネルは、第１論理チャネル及び／又は第１トランスポートチャネルを含み、第２中間チャネルは、第２論理チャネル及び／又は第２トランスポートチャネルを含む。
【００３２】
論理チャネルは、論理チャネルの中で伝達される情報の種類により定められ、例えば制御チャネル及びトラフィックチャネルに分類されてよい。例えば、ロングタームエボリューション（Long  Term  Evolution,  LTE）プロトコルでは、論理チャネルは、媒体アクセス制御（Media  Access  Control,  MAC）レイヤにより上位レイヤに使用のために提供される。
【００３３】
トランスポートチャネルは、チャネルの送信方法により定義される。LTEプロトコルでは、トランスポートチャネルは、物理（Physical,  PHY）レイヤにより上位レイヤに使用のために提供される。
【００３４】
理解されるべきことに、中間チャネルの特定の内容の前述の例は、説明のための単なる例であり、本発明の実施形態に対する限定を構成するべきではない。本発明の本実施形態はこれに限定されるべきではない。例えば、物理レイヤ及び第１プロトコルレイヤは、隣接するプロトコルレイヤであってよく、中間チャネルは、論理チャネル及びトランスポートチャネルの両方の機能を実装し、物理レイヤと第１プロトコルレイヤとの間の情報交換を実装するよう構成される再定義されたチャネルであってよい。代替として、より多くの又はより少ないプロトコルレイヤが、物理レイヤと第１プロトコルレイヤとの間に含まれてよく、中間チャネルは、LTEにおける論理チャネル及びトランスポートチャネルを使用してよく、又はプロトコルレイヤ間の情報交換を実施するために、論理チャネル、トランスポートチャネル、及び別の再定義されたチャネルを使用してよい。これは、本願の実施形態において特に限定されない。
【００３５】
前記第２情報は、前記第１SSBの属するSSバーストセットの中の前記第１SSBの第１時間インデックスTI、又は、前記第１SSBの属するSSバーストの中の前記第１SSBの第２TIと前記SSバーストの属するSSバーストセットの中の前記SSバーストの第３TIとの組み合わせ、を含む。
【００３６】
任意で、システム情報は、以下：システム帯域幅値、システムフレーム番号SFN（System  Frame  Number）、又は残りの最小システム情報（Remaining  Minimum  System  Information,  RMSI）を含む（残りの最小システム情報を送信するために使用される時間周波数リソース情報及びサブキャリア間隔を示すために使用される）構成情報のうちの１つ以上を含む。
【００３７】
本願では、SSBの属するSS  burst  setの中の、SSBの時間周波数リソースを決定するために使用される情報は、端末装置へSSBの中で送信される。その結果、端末装置は、該情報に基づき、セル無線フレームとの時系列整合を実施できる。
【図面の簡単な説明】
【００３８】
【図１】本願の一実施形態における情報送信及び受信方法に適用可能な通信システムの概略図である。
【００３９】
【図２】本願の一実施形態による可能なSSBリソース構造の概略図である。
【００４０】
【図３】本願の一実施形態による可能なSSバーストセッリソース構造の概略図である。
【００４１】
【図４】本願の一実施形態による情報送信及び受信方法の概略フローチャートである。
【００４２】
【図５】本願の一実施形態による情報送信方法の概略図である。
【００４３】
【図６】本願の一実施形態による情報送信方法の別の概略図である。
【００４４】
【図７】本願の一実施形態による情報送信方法の別の概略図である。
【００４５】
【図８】本願の一実施形態による情報送信方法の別の概略図である。
【００４６】
【図９】本願の一実施形態による情報送信方法の別の概略図である。
【００４７】
【図１０】本発明の一実施形態によるネットワーク装置の概略構造図である。
【００４８】
【図１１】本発明の一実施形態によるネットワーク装置の別の概略構造図である。
【００４９】
【図１２】本願の一実施形態による端末装置の概略構造図である。
【００５０】
【図１３】本発明の一実施形態による端末装置の別の概略構造図である。
【発明を実施するための形態】
【００５１】
以下は、添付の図面を参照して本願の技術的ソリューションを記載する。
【００５２】
理解されるべきことに、本願の技術的ソリューションは、種々の通信システム、例えば：グローバルシステムフォーモバイルコミュニケーション（Global  System  for  Mobile  communications,  GSM）、符号分割多元接続（Code  Division  Multiple  Access,  CDMA）システム、広帯域符号分割多元接続（Wideband  Code  Division  Multiple  Access,  WCDMA）システム、及び汎用パケット無線サービス（General  Packet  Radio  Service,  GPRS）システム、ロングタームエボリューション（LTE）システム、ロングタームエボリューションアドバンスト（LTE-A）システム、ユニバーサルモバイルテレコミュニケーションシステム（Universal  Mobile  Telecommunication  Systems,  UMTS）、又は次世代通信システム（例えば、第５世代（Fifth-Generation,  ５G）システム）に適用されてよい。５Gシステムは、新無線アクセス技術（NR）システムとも呼ばれてよい。
【００５３】
本願の実施形態の理解を容易にするために、先ず本願の実施形態に適用可能な通信システムが図１を参照して簡単に説明される。図１は、本願の一実施形態による情報送信及び受信方法に適用可能な通信システム１００の概略図である。図１に示すように、通信システム１００は、少なくとも２つの通信装置、例えばネットワーク装置１１０及び端末装置１２０を含む。データ通信は、ネットワーク装置１１０と端末装置１２０との間で無線接続を用いて実行されてよい。
【００５４】
理解されるべきことに、ネットワーク装置１１０は、グローバルモバイル通信（GSM）又は符号分割多元接続（CDMA）における基地通信機局（Base  Transceiver  Station,  BTS）であってよく、又は、広帯域符号分割多元接続（WCDMA）におけるNodeB（NodeB,  NB）であってよく、又は、ロングタームエボリューション（LTE）における進化型NodeB（evolved  Node  B,  eNB又はeNodeB）であってよく、又は、中継局、アクセスポイント、リモート無線ユニット（Remote  Radio  Unit,  RRU）であってよく、又は、車載装置若しくはウェアラブル装置であってよく、又は、クラウド無線アクセスネットワーク（Cloud  Radio  Access  Network,  CRAN）シナリオにおける無線制御部又は送信点（Transmission  Point,  TP）、送受信点（Transmission  reception  point,  TRP）、gNodeB（gNodeB,  gNB）若しくはスモールセル装置のような、将来の５Gシステムにおけるネットワーク側装置であってよい。これは、本願の本実施形態において特に限定されない。
【００５５】
更に理解されるべきことに、端末装置１２０は、ユーザ機器（User  Equipment,  UE）、アクセス端末、加入者ユニット、加入者局、移動局、モバイルコンソール、リモート局、リモート端末、モバイル装置、ユーザ端末、端末、無線通信装置、ユーザエージェント、又はユーザ装置として呼ばれることもある。端末装置は、無線ローカルエリアネットワーク（Wireless  Local  Area  Networks,  WLAN）内にある局（Station,  ST）であってよく、又はセルラ電話機、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）装置、無線通信機能を備えるハンドヘルド装置若しくはコンピューティング装置、無線モデムに接続される別の処理装置、車載装置、ウェアラブル装置、及び次世代通信システムにおける端末装置、例えば５Gネットワークにおける端末装置若しくは将来展開される地上移動体ネットワーク（Public  Land  Mobile  network,  PLMN）ネットワークにおける端末装置、であってよい。これは、本願の実施形態において特に限定されない。
【００５６】
更に理解されるべきことに、図１は、理解を容易にするために単に一例として使用される簡略化された概略図である。通信システム１００は、更に、図１に図示されない別のネットワーク装置及び／又は端末装置を含んでよい。
【００５７】
さらに、本願の実施形態では、ネットワーク装置はセルにサービスを提供し、端末装置はセルを用いて使用される送信リソース（例えば、周波数ドメインリソース、つまりスペクトルリソース）を用いてネットワーク装置と通信する。セルは、ネットワーク装置（例えば、基地局）に対応するセルであってよい。セルは、マクロ基地局に属してよく、又はスモールセル（Small  cell）に対応する基地局に属してよい。スモールセルは、ここでは、メトロセル（Metro  cell）、マイクロセル（Micro  cell）、ピコセル（Pico  cell）、フェムトセル（Femto  cell）、等を含んでよい。これらのスモールセルは、小さなカバレッジエリア及び低い送信電力等により特徴付けられ、高速データ伝送サービスを提供するのに適する。さらに、セルは、代替としてハイパーセル（Hypercell）であってよい。ハイパーセルは、セルに縛られないユーザ中心の無線接続（User  Centric  No  Cell  Radio  Access,  UCNC）技術を用いる。具体的に言うと、端末装置は、サービスを取得するために、もはや固定物理サイト（例えば、TRP）にアクセスしないが、RTPを含む論理エンティティ（Logical  Entity,  LE）にアクセスする。論理エンティティは、ハイパーセルとして呼ばれてよい。ハイパーセルの境界は柔軟であり、ネットワーク負荷及びユーザ分布に伴い変化してよい。ハイパーセル内の全部のTRPが端末装置に対して透過なので、端末装置は、ハイパーセル内のTRPからサービスを取得するために、もはや固定TRPに接続されず、ハイパーセルIDに基づきハイパーセルにアクセスする必要があるだけである。
【００５８】
NRでは、複数のビームが考慮されるので、複数のSSBが導入される。図２は、本願の一実施形態による可能なSSBリソース構造の概略図である。図２に示すように、１つのSSBは、１つの直交周波数分割多重（Orthogonal  Frequency  Division  Multiplexing,  OFDM）シンボルのNR-PSS、１つのOFDMシンボルのNR-SSS、及び２つのOFDMシンボルのNR-PBCHを含んでよい。図から分かるように、各SSB内のNR-PSS、NR-SSS、及びNR-PBCHは、４個の連続するOFDMシンボルを占有する。
【００５９】
本願の本実施形態では、NR-PSS及びNR-SSSは、それぞれ従来技術（例えばLTE）におけるPSS及びSSSの機能を有してよい。例えば、NR-PSSは、セルグループ内のOFDMシンボルタイミング、周波数同期、スロットタイミング、及びセルIDを決定するよう構成されてよい。NR-SSSは、フレームタイミング、セルグループ、等を決定するよう構成されてよい。代替として、NR-PSS及びNR-SSSは、現在のPSS及び現在のSSSのものと異なる機能を有してよい。これは、本願の本実施形態において限定されない。さらに、NR-PSS及びNR-SSSは、代替として、それぞれ現在のPSS及び現在のSSSのものと同じ又は異なるシーケンスを用いてよい。これは、本願の本実施形態において限定されない。
【００６０】
さらに、本願の本実施形態では、NR-PBCHは、従来技術（例えばLTE）におけるPBCHのものと同じ又は異なる機能を有してよい。これも、本願において限定されない。任意で、NR-PBCHは、マスタ情報ブロック（Master  Information  Block,  MIB）を伝達してよい。
【００６１】
理解されるべきことに、図２に示すSSBのリソース構造は、単なる可能な構造であり、本願の本実施形態に対するいかなる限定も構成するべきではない。例えば、NR-PSS、NR-SSS、及びNR-PBCHにより周波数ドメイン内で占有されるサブキャリアの数は、異なってよく、図示されない。代替として、NR-PSS、NR-SSS、及びNR-PBCHは、時間的に連続しなくてよい。代替として、SSBは、NR-PSS及びNR-PBCHのみを含んでよく、又は、NR-SSS及びNR-PBCHのみを含んでよく、又は、NR-PBCHのみを含むのでさえよい。SSBのリソース構造は、本願の本実施形態において特に限定されない。
【００６２】
図３は、本願の一実施形態による可能なSS  burst  setリソース構造の概略図である。１つ以上のSSBは１つのSSバーストを構成してよく、１つ以上のSS  burstは１つのSS  burst  setを構成してよく、１つのSS  burst  setは１つ以上のフレームにマッピングされ、周期的に送信される。言い換えると、１つのSS  burst  setの送信周期は、１つ以上の無線フレームを含む。例えば、図３は、SS  burst  setの送信周期が２つの無線フレームを含む例を示す。図から、各SS  burst  set内の複数のSSBは時間ドメインにおいて連続又は不連続であってよいことが分かる。図示のように、SSB１及びSSB２は時間ドメインにおいて連続し、並びにSSB３及びSSB４は時間ドメインにおいて連続しているが、SSB２及びSSB３は時間ドメインにおいて不連続である。これは、本願の本実施形態において特に限定されない。SSB１及びSSB２はSS  burstを構成してよく、SSB３及びSSB４はSS  burstを構成してよい。残りは同様に類推できる。
【００６３】
結論として、時間ドメインリソース上の、NRにおけるSSBの分布とLTEにおける同期信号の分布との間には比較的大きな違いがあることが分かる。LTEでは、特定のデュプレックスモードで、各無線フレーム内のPSS及びSSSの相対位置は固定されてよい。例えば、周波数分割複信（Frequency  Division  Duplex,  FDD）モードでは、PSSは、第０サブフレーム及び第５サブフレームの最初のスロット（slot）の最後のシンボル（symbol）で送信され、SSSは、同じシンボル上の及び最後のシンボルに隣接する位置で送信される。しかしながら、時分割複信（Time  Division  Duplex,  TDD）モードでは、PSSは、第１サブフレーム及び第６サブフレームの３番目のシンボルで送信され、SSSは、第０サブフレーム及び第５サブフレームの最後のシンボルで送信される。端末装置は見付かったセルのデュプレックスモードを知らないが、端末装置は、時系列構造におけるPSS及びSSSの相違に基づきFDDをTDDから区別し、更にスロット同期及びフレーム同期を達成してよい。
【００６４】
しかしながら、NRでは、複数のSSBが各無線フレーム内で送信され得る。SSBを受信するとき、端末装置は、SSBとフレーム境界及びスロット境界の各々との間の相対位置関係が分からず、フレーム境界及びスロット境界を推定できない。SSBの属するSS  burst  setの中で、各SSBの相対位置は固定される。言い換えると、各SSBにより占有される時間ドメインリソースは相対的に固定されてよい。例えば、図３に示すSSB１は、第１無線フレームの第１サブキャリアの最初のスロットの最後のシンボルで送信されてよい。
【００６５】
本願の一実施形態は、情報送信及び受信方法を提供する。追加情報がSSB内で伝達され、追加情報は、例えば、SSBの属するSS  burst  setの送信周期の中のSSBのランクのシーケンス番号（又は時間インデックス（Time  Index）TIと呼ばれる）を決定するために使用されてよい。TIは、SSBの属するSS  burst  setの送信周期の中のSSBのランクを決定するために使用できるだけでなく、SSBのそれぞれ属するSS  burst  setの送信周期の中の同じTIを有するSSBの時間ドメインリソース位置を決定するためにも使用できる。同じTIを有する任意の２つのSSBは、SSBのそれぞれ属するSS  burst  setの送信周期の中で同じ時間ドメインリソース位置を有することが理解され得る。したがって、１つ以上のSSBの中のTIを取得した後に、端末装置は、セル無線フレームとの時系列整合を実施するために、SS  burst  setの送信周期の中のTIに対応するSSBによりマッピングされた時間ドメインリソースに基づき、セルのフレーム境界及びスロット境界を推定してよい。
【００６６】
しかしながら、SSBに追加情報をどのように追加するか、及び端末装置が追加情報をどのように読み取るかは、依然として解決されるべき問題である。
【００６７】
以下は、添付の図面を参照して、本願の実施形態における情報送信及び受信方法を詳細に記載する。
【００６８】
図４は、装置相互作用の観点からの、本願の一実施形態による情報送信及び受信方法４００の概略フローチャートである。
【００６９】
図４に示すように、方法４００は以下のステップを含む。
【００７０】
Ｓ４１０。ネットワーク装置は、第１情報及び第２情報を第１プロトコルレイヤにおいて生成する。
【００７１】
第１情報はシステム情報であってよい。具体的に、システム情報は、LTEにおけるシステム情報であってよく、又はNR標準におけるシステム情報であってよい。限定ではなく一例として、システム情報は、システム帯域幅（System  Bandwidth）値、システムフレーム番号（System  Frame  Number,  SFN）、又は残りの最小システム情報（Remaining  Minimum  System  Information,  RMSI）の構成情報を含んでよい。RMSIの構成情報は、RMSIを送信するために使用される時間周波数リソース及びサブキャリア間隔を示すために使用される。
【００７２】
第２情報は、１つ以上のSSBに対応する時間周波数リソースを決定するために使用される。本願の本実施形態では、被送信SSBの属するSS  burst  setの中の被送信SSBに対応する時間ドメインリソースは、SSBの属するSS  burst  setの中のSSBのTI（区別及び説明を容易にするために、第１TIとして示され、例えば、図３に示されるSSBの番号１又は２）により表されてよく、又はSSBの属するSS  burstの中のSSBのTI（区別及び説明を容易にするために、第２TIとして示される）とSS  burstの属するSS  burst  setの中のSS  burstのTI（区別及び説明を容易にするために、第３TIとして示される）との組み合わせにより表されてよい。
【００７３】
言い換えると、第２情報は、SS  burst  setの中の被送信SSBの第１TI、又はSS  burstの中の被送信SSBの第２TIとSS  burstの属するSS  burst  setの中のSS  burstの第３TIとの組み合わせを含んでよい。
【００７４】
各SS  burst  setの送信周期の中で、時間ドメインにおける各SSBの相対位置は固定される。言い換えると、各SS  burst  setの送信周期中、複数のSSBのTI（第１TI、又は第２TIと第３TIとの組み合わせを含む）は、複数の時間ドメインリソースと１対１対応にある。したがって、ネットワーク装置は、現在の被送信SSBの時間ドメインリソースに基づき、SSBの第１TI又は第２TI及び第３TIを決定し、言い換えると第２情報を決定してよい。
【００７５】
留意すべきことに、TIは、SS  burst  setの送信周期の中のSSBのランクのシーケンス番号を示すためだけではなく、SSBの周波数ドメインリソースを示すためにも指定されてよい。代替として、TIは、SS  burst  setの送信周期の中のSSBのランクのシーケンス番号を示すために指定されてよく、SSBの周波数ドメインリソースは予め構成されてよい。したがって、TIは、SSBに対応する時間周波数リソースを決定するために使用されてよい。
【００７６】
本願の本実施形態では、第１プロトコルレイヤは、物理（Physical,  PHY）レイヤより上位のプロトコルレイヤであってよい。任意で、第１プロトコルレイヤは、無線リソース制御（radio  resource  control,  RRC）レイヤであってよい。
【００７７】
物理レイヤ及びRRCレイヤとの間に、別の中間プロトコルレイヤ、例えば媒体アクセス制御（MAC）レイヤ、無線リンク制御（Radio  Link  Control,  RLC）レイヤ、又はパケットデータコンバージェンスプロトコル（Packet  Data  Convergence  Protocol,  PDCP）レイヤが更に含まれてよい。代替として、物理レイヤ及びRRCレイヤは、２つの隣接するプロトコルレイヤであってよい。これは、本願の本実施形態において特に限定されない。５Gネットワークにおけるプロトコルレイヤ分割は明確でないことが理解され得る。したがって、LTEにおける現在のプロトコルスタックの中の１つ以上のレイヤを結合すること、又は１つ以上のプロトコルレイヤを新たに追加することの可能性は、本願の本実施形態において排除されない。
【００７８】
説明を容易にするために、以下は、第１プロトコルレイヤがRRCレイヤである一例のみを用い、説明はLTEにおけるプロトコルスタック構造を参照して提供される。しかしながら、これは、本願の本実施形態に対して限定を構成するべきではない。第１プロトコルレイヤは、代替として、物理レイヤより上位の別のプロトコルレイヤ、例えばMACレイヤ又はNRにおいて定義される新しいプロトコルレイヤであってよい。
【００７９】
Ｓ４２０。ネットワーク装置は、第１情報及び第２情報を第１プロトコルレイヤから物理レイヤへ送信する。
【００８０】
Ｓ４３０。ネットワーク装置は、第１情報及び第２情報に対して物理レイヤ処理を実行する。
【００８１】
Ｓ４４０。ネットワーク装置は、SSBにおけるPBCHを用いて、物理レイヤ処理の後に取得されたデータを送信する。
【００８２】
第１情報及び第２情報を生成した後に、ネットワーク装置は、第１情報及び第２情報を、図５〜図９に示した無線ベアラ（Radio  Bearer,  RB）を用いて及びプロトコルレイヤ（PDCPレイヤ、RLCレイヤ、及びMACレイヤ）を用いて、物理レイヤへ送信し、物理レイヤにおいて、第１情報及び第２情報に対して物理レイヤ処理が実行された後に取得されたデータを、送信のために第２情報により示されたSSBに対応する時間ドメインリソースの中のPBCHシンボルにマッピングして、該データを端末装置へ送信してよい。
【００８３】
具体的に、ネットワーク装置がRRCレイヤにおいて第１情報及び第２情報を生成し、RRCレイヤの処理、RRCレイヤと物理レイヤとの間の中間プロトコルレイヤの処理、及び物理レイヤ処理を第１情報及び第２情報に対して実行し、次に第１情報及び第２情報を送出する処理（つまり、Ｓ４２０〜Ｓ４４０の特定の処理）は、以下の方法のうちの任意の１つを用いて実施されてよい。
【００８４】
方法１。
【００８５】
具体的に、方法１は以下のステップを含んでよい。
【００８６】
ステップ１。ネットワーク装置は、第１プロトコルレイヤにおいて、第１メッセージを取得するために、全体として使用される第１情報及び第２情報に対してカプセル化処理を実行する。
【００８７】
ステップ２。ネットワーク装置は、第１メッセージを中間チャネルにマッピングし、第１メッセージを物理レイヤへ送信する。
【００８８】
ステップ３。ネットワーク装置は、物理レイヤにおいて、中間チャネルを用いて受信した第１メッセージに対して物理レイヤ処理を実行し、SSBに対応する時間周波数リソース上のPBCHを用いて、物理レイヤ処理の後に取得したデータを送信する。
【００８９】
以下は、図５を参照して方法１を詳細に記載する。図５は、本願の一実施形態による情報送信方法の概略図である。具体的に、図５は、LTEにおけるプロトコルスタック構造を参照して、第１情報及び第２情報の処理及び送信処理を示す。
【００９０】
図５に示すように、プロトコルスタックは、それぞれ上から下へRRCレイヤ、PDCPレイヤ、PRCレイヤ、MACレイヤ、及びPHYレイヤである、５個のプロトコルレイヤを含んでよい。
【００９１】
ネットワーク装置によりRRCレイヤにおいて生成された第１情報及び第２情報は、例えばそれぞれ第１ペイロード及び第２ペイロードとして示される２つの独立したペイロード（payload）として理解され得る。第１ペイロードは第１情報に対応し、第２ペイロードは第２情報に対応する。
【００９２】
ステップ１で、ネットワーク装置は、第１情報及び第２情報を全体として使用してよく、又は第１情報及び第２情報を例えば第３ペイロードとして示されるペイロードとして使用してよい。任意で、第３ペイロードは、第１ペイロード及び第２ペイロードをカスケードすることにより取得されてよい。カスケードは、第１ペイロード内のビット及び第２ペイロード内のビットを連続的に接続することであってよい。ネットワーク装置は、第３ペイロードに対してカプセル化処理を実行する。例えば、カプセル化処理は、第１メッセージを取得するためのアブストラクトシンタックス表記（Abstract  Syntax  Notation,  ASN.１）カプセル化処理であってよく、第１メッセージはRRCメッセージと呼ばれてよい。
【００９３】
任意で、中間チャネルは論理チャネル及び／又はトランスポートチャネルを含む。
【００９４】
LTEにおけるプロトコルスタック構造では、中間チャネルは論理チャネル及びトランスポートチャネルを含んでよい。
【００９５】
ステップ２で、ネットワーク装置は、RRCレイヤ（つまり、第１プロトコルレイヤの一例）と物理レイヤとの間の中間プロトコルレイヤにおいて、中間プロトコルレイヤ処理を第１メッセージに対して実行する。図５に示すように、ネットワーク装置は、ブロードキャスト制御チャネル（Broadcast  Control  Channel,  BCCH）を用いて、第１メッセージをMACレイヤへ送信してよい。MACレイヤ処理は、MACレイヤにおいて受信した第１メッセージに対して実行される。次に、第１メッセージは、ブロードキャストチャネル（Broadcast  Control,  BCH）を用いて物理レイヤへ送信される。
【００９６】
ここで、図５のプロトコルスタック構造は、プロトコルレイヤにおいてネットワーク装置により実行される動作を簡単に説明するための一例として使用される。ネットワーク装置は、PDCPレイヤにおいてインターネットプロトコル（Internet  Protocol,  IP）ヘッダ圧縮を実行して、無線インタフェースで送信されるビット数を削減してよい。ネットワーク装置は、RLCレイヤで、セグメント化又はカスケード、再送制御、重複検出、及び上位レイヤへの逐次送信を、PDCPレイヤからのデータパケットに対して実行してよい。RLCレイヤはPDCPレイヤにサービスを提供する。１つのRLCエンティティは、１つの端末の各無線ベアラについて構成される。ネットワーク装置は、MACレイヤにおいて、無線インタフェースの送信フォーマット、例えばデータブロックのサイズを決定し、物理レイヤリソースをデータブロックのサイズに割り当て、例えばデータブロックのための調整方法を決定し、データブロックを伝達するために使用されるサブキャリアを決定してよい。ネットワーク装置は、チャネル符号化、レートマッチング、インタリービング、スクランブリング、変調、等を物理レイヤにおいて実行してよい。
【００９７】
留意すべきことに、LTEプロトコルでは、MACレイヤは、RLCレイヤに論理チャネルの形式でサービスを提供し、トランスポートチャネルの形式で見える物理レイヤからのサービスを使用する。
【００９８】
理解されるべきことに、以上に列挙された内容は、LTEにおけるプロトコルスタック構造を参照してプロトコルレイヤにおいてネットワーク装置により実行される動作を簡単に説明した。特定の実装処理は、従来技術のものと同じであってよい。簡単のため、特定の処理の詳細な説明はここでは省略される。
【００９９】
ステップ３で、中間プロトコルレイヤ処理の後に取得された、トランスポートチャネルから受信された第１メッセージに対して、物理レイヤ処理を実行した後に、ネットワーク装置は、物理レイヤ処理の後に取得したデータに対してリソースマッピングを実行してよい。例えば、ネットワーク装置は、物理レイヤ処理の後に取得したデータを送信するために使用される無線フレームのフレーム番号、及び無線フレーム内の特定の時間周波数リソースに関する情報を決定し、物理レイヤ処理の後に取得したデータを時間周波数リソースにマッピングし、時間周波数リソースを使用して、物理レイヤ処理の後に取得したデータを送信してよい。時間周波数リソースはＳ４１０で説明した現在送信されているSSBに対応する時間周波数リソース上のPBCHシンボルであることが理解され得る。
【０１００】
方法１で、中間チャネルは同じ論理チャネル及び同じトランスポートチャネルを含む。
【０１０１】
理解されるべきことに、以上に列挙した論理チャネル及びトランスポートチャネルは、単に説明のための例である。１つ以上の新しいチャネルが論理チャネル及びトランスポートチャネルを置き換えるために及び同じ機能を実装するためにNRプロトコルの中で定義される可能性は、本願において排除されない。
【０１０２】
更に理解されるべきことに、図５を参照して上述したプロトコルレイヤ及びネットワーク装置によりプロトコルレイヤにおいて実行される動作は、説明のための単なる例得有り、本願の実施形態に対する限定を構成すべきではない。例えば、第１プロトコルレイヤ及び物理レイヤは、隣接するプロトコルレイヤであってよく、第１プロトコルレイヤの処理が第１プロトコルレイヤにおいて生成された第１情報及び第２情報に対して実行された後に取得した第１メッセージは、物理レイヤへ直接送信されてよい。その結果、物理レイヤ処理は、第１メッセージに対して実行され、第１メッセージは対応する時間周波数リソースを用いて送信される。別の例では、上述より多くのプロトコルレイヤが、第１プロトコルレイヤと物理レイヤとの間に含まれてよい。簡単のため、例はここで１つずつ列挙されない。
【０１０３】
方法２。
【０１０４】
具体的に、方法２は以下のステップを含んでよい。
【０１０５】
ステップ１。ネットワーク装置は、第１プロトコルレイヤで、第１情報に対してカプセル化処理を実行して、第１メッセージを生成する。
【０１０６】
ステップ２。ネットワーク装置は、第１プロトコルレイヤで、第２情報に対してカプセル化処理を実行して、第２メッセージを生成する。
【０１０７】
ステップ３。ネットワーク装置は、第１メッセージ及び第２メッセージを中間チャネルにマッピングし、第１メッセージ及び第２メッセージを物理レイヤへ送信する。
【０１０８】
ステップ４。ネットワーク装置は、物理レイヤにおいて、中間チャネルを用いて受信した第１メッセージ及び第２メッセージに対して物理レイヤ処理を実行し、SSBに対応する時間周波数リソースの中のPBCHを用いて、物理レイヤ処理の後に取得したデータを送信する。
【０１０９】
以下は、図６及び図７を参照して方法２を詳細に記載する。図６及び図７は、本願の一実施形態による情報送信方法の別の概略図である。具体的に、図６及び図７は、LTEにおけるプロトコルスタック構造を参照して、第１情報及び第２情報の処理及び送信処理を別個に示す。
【０１１０】
図６及び図７に示すように、プロトコルスタックは、それぞれ上から下へRRCレイヤ、PDCPレイヤ、PRCレイヤ、MACレイヤ、及びPHYレイヤである、５個のプロトコルレイヤを含んでよい。
【０１１１】
ステップ１及びステップ２で、ネットワーク装置は、カプセル化処理、例えばASN．１カプセル化処理を、生成された第１情報及び第２情報に対して、RRCレイヤにおいて実行して、第１メッセージ及び第２メッセージを取得してよい。第１メッセージ及び第２メッセージの両者はRRCメッセージである。
【０１１２】
方法１と異なり、ネットワーク装置は、RRCレイヤにおいて２つの情報片に対してカプセル化処理を実行して、２つの独立したRRCメッセージを取得する。
【０１１３】
ステップ３で、２つのRRCメッセージは、中間チャネルを用いて物理レイヤへ送信されてよい。
【０１１４】
中間チャネルは、同じ論理チャネル及び同じトランスポートチャネルを含む（ケース１）、又は、中間チャネルは、異なる論理チャネル及び同じトランスポートチャネルを含む（ケース２）。
【０１１５】
ケース１。
【０１１６】
図６は、ケース１における、第１情報及び第２情報の処理及び送信処理を示す。図６に示すように、RRCレイヤで生成された第１メッセージ及び第２メッセージは、全体として使用され、次に論理チャネルにマッピングされ、MACレイヤに送信されてよい。この処理では、ネットワーク装置は、各プロトコルレイヤにおいて、上位のプロトコルレイヤからのデータを逐次的に処理し、該データを下位のプロトコルレイヤへ送信してよい。ネットワーク装置は、RRCレイヤ、PDCPレイヤ、及びRLCレイヤのうちの任意の１つにおいて第１メッセージ及び第２メッセージを結合して、結合された第１メッセージ及び第２メッセージを取得し、次に、結合した第１メッセージ及び第２メッセージを論理チャネル内にマッピングし、結合した第１メッセージ及び第２メッセージをMACレイヤへ送信してよい。次に、MACレイヤで、論理チャネルから受信された結合した第１メッセージ及び第２メッセージに対してMACレイヤ処理を実行した後に、ネットワーク装置は、更に、結合した第１メッセージ及び第２メッセージを同じトランスポートチャネルにマッピングし、結合した第１メッセージ及び第２メッセージを物理レイヤへ送信してよい。
【０１１７】
ケース２。
【０１１８】
図７は、ケース２における、第１情報及び第２情報の処理及び送信処理を示す。図７に示すように、RRCレイヤで生成された第１メッセージ及び第２メッセージは、異なる論理チャネルを用いてMACレイヤへ送信されてよい。ネットワーク装置は、RRCレイヤ、PDCPレイヤ、及びRLCレイヤにおいて、上位のプロトコルレイヤからのデータを逐次的に処理し、該データを下位のプロトコルレイヤへ送信してよい。MACにおいて、上位レイヤ処理の実行された第１メッセージ及び第２メッセージを、異なる論理チャネルを用いて受信した後に、ネットワーク装置は、受信した第１メッセージ及び第２メッセージを結合して、結合した第１メッセージ及び第２メッセージを取得し、次に、結合した第１メッセージ及び第２メッセージを同じトランスポートチャネルにマッピングし、結合した第１メッセージ及び第２メッセージを物理レイヤへ送信してよい。
【０１１９】
ステップ４で、ネットワーク装置は、中間チャネルから受信したデータに対して物理レイヤ処理を実行して、物理レイヤ処理の実行されたデータを取得する。具体的に、物理レイヤ処理は、以下：チャネル符号化、レートマッチング、インタリービング、スクランブリング、変調、等を含んでよい。
【０１２０】
ネットワーク装置は、物理レイヤ処理の後に取得したデータをPBCHにマッピングし、PBCHを用いて物理レイヤ処理の後に取得されたデータを送信する。時間周波数リソースは、Ｓ４１０で説明した現在送信されているSSBに対応する時間周波数リソース上のPBCHシンボルである。
【０１２１】
理解されるべきことに、前述の２つのケースは、説明のための単なる例であり、本願の本実施形態に対する限定を構成すると考えられるべきではない。例えば、第１プロトコルレイヤ及び物理レイヤは、隣接するプロトコルレイヤであってよい。第１プロトコルレイヤと物理レイヤとの間のチャネルは、論理チャネル又はトランスポートチャネルであってよく、又は同じ若しくは同様の機能を実装するために使用される別のチャネルでよい。第１プロトコルレイヤにおいて生成された第１メッセージ及び第２メッセージは、第１プロトコルレイヤと物理レイヤとの間に位置する中間チャネルを用いて、物理レイヤへ直接送信されてよい。
【０１２２】
更に理解されるべきことに、方法２で、ネットワーク装置によりプロトコルレイヤにおいて実行される動作は、方法１の動作と同様であってよいが、幾つかのプロトコルレイヤにおいて作用されるオブジェクトは異なる。簡単のために、ネットワーク装置によりプロトコルレイヤにおいて実行される動作の詳細な説明は、ここでは省略される。
【０１２３】
方法３。
【０１２４】
具体的に、方法３は以下のステップを含んでよい。
【０１２５】
ステップ１。ネットワーク装置は、第１プロトコルレイヤで、第１情報に対してカプセル化処理を実行して、第１メッセージを生成する。
【０１２６】
ステップ２。ネットワーク装置は、第１プロトコルレイヤで、第２情報に対してカプセル化処理を実行して、第２メッセージを生成する。
【０１２７】
ステップ３。ネットワーク装置は、第１メッセージを第１中間チャネルにマッピングし、第１メッセージを物理レイヤへ送信する。
【０１２８】
ステップ４。ネットワーク装置は、第２メッセージを第２中間チャネルにマッピングし、第２メッセージを物理レイヤへ送信する。
【０１２９】
ステップ５。ネットワーク装置は、物理レイヤにおいて、第１中間チャネルを用いて受信した第１メッセージ及び第２中間チャネルを用いて受信した第２メッセージに対して物理レイヤ処理を実行し、SSBに対応する時間周波数リソースの中のPBCHを用いて、物理レイヤ処理の後に取得したデータを送信する。ここで、第１メッセージ及び第２メッセージは全体として使用される。
【０１３０】
以下は、図８を参照して方法３を詳細に記載する。図８は、本願の一実施形態による情報送信方法の別の概略図である。具体的に、図８は、LTEにおけるプロトコルスタック構造を参照して、第１情報及び第２情報の処理及び送信処理を示す。
【０１３１】
図８に示すように、プロトコルスタックは、それぞれ上から下へRRCレイヤ、PDCPレイヤ、PRCレイヤ、MACレイヤ、及びPHYレイヤである、５個のプロトコルレイヤを含んでよい。
【０１３２】
ステップ１及びステップ２で、ネットワーク装置は、カプセル化処理、例えばASN．１カプセル化処理を、生成された第１情報及び第２情報に対して、RRCレイヤにおいて実行して、第１メッセージ及び第２メッセージを取得してよい。第１メッセージ及び第２メッセージの両者はRRCメッセージである。
【０１３３】
ステップ３及びステップ４で、ネットワーク装置は、第１メッセージ及び第２メッセージをそれぞれ第１中間チャネル及び第２中間チャネルにマッピングし、第１メッセージ及び第２メッセージを物理レイヤへ送信する。方法２と異なり、ネットワーク装置は、第１メッセージ及び第２メッセージを物理レイヤより上位の中間プロトコルレイヤで処理する。したがって、ネットワーク装置は、物理レイヤで、中間プロトコルレイヤ処理の実行された２つのメッセージを受信する。
【０１３４】
任意で、中間チャネルは論理チャネル及び／又はトランスポートチャネルを含む。
【０１３５】
言い換えると、ネットワーク装置は、第１メッセージを第１論理チャネルにマッピングし、第１メッセージをMACレイヤへ送信し、次に、MACレイヤ処理の実行された第１メッセージを第１トランスポートチャネルにマッピングし、第１メッセージを物理レイヤへ送信してよい。相応して、ネットワーク装置は、第２メッセージを第２論理チャネルにマッピングし、第２メッセージをMACレイヤへ送信し、次に、MACレイヤ処理の実行された第２メッセージを第２トランスポートチャネルにマッピングし、第２メッセージを物理レイヤへ送信してよい。
【０１３６】
理解されるべきことに、前述の中間チャネルは、説明のための単なる例であり、本願の本実施形態に対する限定を構成すると考えられるべきではない。例えば、第１プロトコルレイヤ及び物理レイヤは、隣接するプロトコルレイヤであってよい。第１プロトコルレイヤと物理レイヤとの間のチャネルは、論理チャネル又はトランスポートチャネルであってよく、又は同じ若しくは同様の機能を実装するために使用される別のチャネルよい。第１プロトコルレイヤにおいて生成された第１メッセージ及び第２メッセージは、第１プロトコルレイヤと物理レイヤとの間に位置する２つの異なる中間チャネルを用いて、物理レイヤへ直接送信されてよい。代替として、第１プロトコルレイヤと物理レイヤとの間に、より多くのプロトコルレイヤ及びチャネルがあってよく、中間チャネルは、第１プロトコルレイヤと中間プロトコルレイヤとの間、物理レイヤと中間プロトコルレイヤとの間、及び中間プロトコルレイヤ同士の間のチャネルを含んでよい。
【０１３７】
ステップ５で、ネットワーク装置は、物理レイヤで、中間プロトコルレイヤ処理の実行された２つのメッセージを結合し、中間プロトコルレイヤ処理の実行された、全体として使用される２つのメッセージに対して物理レイヤ処理を実行する。具体的に、物理レイヤ処理は、以下：チャネル符号化、レートマッチング、インタリービング、スクランブリング、変調、等を含んでよい。
【０１３８】
ネットワーク装置は、物理レイヤ処理の後に取得したデータをPBCHにマッピングし、PBCHを用いて物理レイヤ処理の後に取得したデータを送信する。時間周波数リソースは、Ｓ４１０で説明した現在送信されているSSBに対応する時間周波数リソース上のPBCHシンボルである。
【０１３９】
更に理解されるべきことに、方法３で、ネットワーク装置によりプロトコルレイヤにおいて実行される動作は、方法１の動作と同様であってよいが、幾つかのプロトコルレイヤにおいて作用されるオブジェクトは異なる。簡単のために、ネットワーク装置によりプロトコルレイヤにおいて実行される動作の詳細な説明は、ここでは省略される。
【０１４０】
方法４。
【０１４１】
具体的に、方法４は以下のステップを含んでよい。
【０１４２】
ステップ１。ネットワーク装置は、第１プロトコルレイヤで、第１情報に対してカプセル化処理を実行して、第１メッセージを生成する。
【０１４３】
ステップ２。ネットワーク装置は、第１プロトコルレイヤで、第２情報に対してカプセル化処理を実行して、第２メッセージを生成する。
【０１４４】
ステップ３。ネットワーク装置は、第１メッセージを第１中間チャネルにマッピングし、第１メッセージを物理レイヤへ送信する。
【０１４５】
ステップ４。ネットワーク装置は、第２メッセージを第２中間チャネルにマッピングし、第２メッセージを物理レイヤへ送信する。
【０１４６】
ステップ５。ネットワーク装置は、物理レイヤにおいて、第１中間チャネルを用いて受信した第１メッセージ及び第２中間チャネルを用いて受信した第２メッセージに対して物理レイヤ処理を実行し、SSBに対応する時間周波数リソースの中のPBCHを用いて、物理レイヤ処理の後に取得したデータを送信する。
【０１４７】
以下は、図９を参照して方法３を詳細に記載する。図９は、本願の一実施形態による情報送信方法の別の概略図である。具体的に、図９は、LTEにおけるプロトコルスタック構造を参照して、第１情報及び第２情報の処理及び送信処理を示す。
【０１４８】
図９に示すように、プロトコルスタックは、それぞれ上から下へRRCレイヤ、PDCPレイヤ、PRCレイヤ、MACレイヤ、及びPHYレイヤである、５個のプロトコルレイヤを含んでよい。
【０１４９】
ステップ１及びステップ２で、ネットワーク装置は、カプセル化処理、例えばASN．１カプセル化処理を、生成された第１情報及び第２情報に対して、RRCレイヤにおいて実行して、第１メッセージ及び第２メッセージを取得してよい。第１メッセージ及び第２メッセージの両者はRRCメッセージである。
【０１５０】
ステップ３及びステップ４で、ネットワーク装置は、第１メッセージ及び第２メッセージをそれぞれ第１中間チャネル及び第２中間チャネルにマッピングし、第１メッセージ及び第２メッセージを物理レイヤへ送信する。ネットワーク装置は、第１メッセージ及び第２メッセージを物理レイヤより上位の中間プロトコルレイヤで処理する。したがって、ネットワーク装置は、物理レイヤで、中間プロトコルレイヤ処理の実行された２つのメッセージを受信する。
【０１５１】
任意で、中間チャネルは論理チャネル及び／又はトランスポートチャネルを含む。
【０１５２】
言い換えると、ネットワーク装置は、第１メッセージを第１論理チャネルにマッピングし、第１メッセージをMACレイヤへ送信し、次に、MACレイヤ処理の実行された第１メッセージを第１トランスポートチャネルにマッピングし、第１メッセージを物理レイヤへ送信してよい。相応して、ネットワーク装置は、第２メッセージを第２論理チャネルにマッピングし、第２メッセージをMACレイヤへ送信し、次に、MACレイヤ処理の実行された第２メッセージを第２トランスポートチャネルにマッピングし、第２メッセージを物理レイヤへ送信してよい。
【０１５３】
理解されるべきことに、前述の中間チャネルは、説明のための単なる例であり、本願の本実施形態に対する限定を構成すると考えられるべきではない。例えば、第１プロトコルレイヤ及び物理レイヤは、隣接するプロトコルレイヤであってよい。第１プロトコルレイヤと物理レイヤとの間のチャネルは、論理チャネル又はトランスポートチャネルであってよく、又は同じ若しくは同様の機能を実装するために使用される別のチャネルよい。第１プロトコルレイヤにおいて生成された第１メッセージ及び第２メッセージは、第１プロトコルレイヤと物理レイヤとの間に位置する２つの異なる中間チャネルを用いて、物理レイヤへ直接送信されてよい。代替として、第１プロトコルレイヤと物理レイヤとの間に、より多くのプロトコルレイヤ及びチャネルがあってよく、中間チャネルは、第１プロトコルレイヤと中間プロトコルレイヤとの間、物理レイヤと中間プロトコルレイヤとの間、及び中間プロトコルレイヤ同士の間のチャネルを含んでよい。
【０１５４】
ステップ５で、ネットワーク装置は、第１中間チャネルから受信した第１メッセージ及び第２中間チャネルから受信した第２メッセージの各々に対して物理レイヤ処理を実行する。方法３と異なり、ネットワーク装置は、物理レイヤにおいて、中間プロトコルレイヤ処理の実行された２つのメッセージに対して物理レイヤ処理を実行して、物理レイヤ処理の実行されたデータを取得する。ここで、データは、第１データ及び第２データを含んでよく、第１データは第１メッセージを含み、第２データは第２メッセージを含む。
【０１５５】
ネットワーク装置は、物理レイヤ処理の後に取得した第１データ及び第２データをPBCHにマッピングし、PBCHを用いて物理レイヤ処理の後に取得したデータを送信する。PBCHは、Ｓ４１０で説明した現在送信されているSSBに対応する時間周波数リソース上のPBCHシンボルである。
【０１５６】
理解されるべきことに、方法４で、ネットワーク装置によりプロトコルレイヤにおいて実行される動作は、方法１の動作と同様であってよいが、幾つかのプロトコルレイヤにおいて作用されるオブジェクトは異なる。簡単のために、ネットワーク装置によりプロトコルレイヤにおいて実行される動作の詳細な説明は、ここでは省略される。
【０１５７】
更に理解されるべきことに、図５〜図９を参照した前述の説明は、LTEにおけるプロトコルスタック構造を可能なプロトコルスタック構造として用いた説明のための例であり、本願の本実施形態に対する限定を構成するべきではない。同じプロトコルスタック構造がNRプロトコルにおいても使用されるが、各プロトコルレイヤエンティティの機能が再定義される可能性、及びプロトコルスタック構造及び各プロトコルレイヤエンティティの機能がNRプロトコルにおいて再定義される可能性は、本願において排除されない。
【０１５８】
Ｓ４４０で、端末装置は、PBCHで、ネットワーク装置により送信されたデータを受信する。
【０１５９】
PBCHで端末装置により受信されたデータが第１情報及び第２情報を含み、第１情報及び第２情報はネットワーク装置により第１プロトコルレイヤにおいて生成され、SSBに対応する時間周波数リソース上のPBCHを用いて送信され、SSBの時間ドメインリソース位置は第２情報に基づき決定されてよいことが理解され得る。
【０１６０】
Ｓ４５０。端末装置は、受信したデータに対して物理レイヤ処理を実行する。
【０１６１】
Ｓ４６０。端末装置は、物理レイヤから第１プロトコルレイヤへ、物理レイヤ処理の実行されたデータを送信する。
【０１６２】
Ｓ４７０。端末装置は、第１プロトコルレイヤにおいて、物理レイヤ処理の実行されたデータを処理して、第１情報及び第２情報を取得する。
【０１６３】
Ｓ４２０〜Ｓ４４０に対応して、Ｓ４５０〜Ｓ４７０で端末装置が受信したデータを処理して第１情報及び第２情報を第１プロトコルレイヤにおいて取得する処理は、ネットワーク装置が第１プロトコルレイヤにおいて生成された第１情報及び第２情報を処理して、物理レイヤ処理の実行されたデータを取得する処理に対応し又はその逆である。
【０１６４】
端末装置は、前述の４つの方法のうちのいずれか１つを用いて受信したデータを処理してもよい。しかしながら、留意すべきことに、ネットワーク装置により使用される処理方法は、端末装置により使用されるものに対応する。プロトコルでは、データ処理方法は、予め定められてよく、ネットワーク装置及び端末装置は、予め定められた処理方法に従い情報を送信し及び受信してよい。
【０１６５】
具体的に、端末装置が受信したデータを処理して第１情報及び第２情報を第１プロトコルレイヤにおいて取得する処理（つまりＳ４５０〜Ｓ４７０の特定の処理）は、以下の方法のうちのいずれか１つを用いて実装されてよい。
【０１６６】
方法１。
【０１６７】
端末装置は、物理レイヤにおいて、受信したデータに対して物理レイヤ処理を実行して、物理レイヤ処理の実行されたデータを取得する。
【０１６８】
端末装置は、物理レイヤ処理の実行されたデータを中間チャネルにマッピングして、データを第１プロトコルレイヤへ送信する。
【０１６９】
端末装置は、第１プロトコルレイヤにおいて、中間チャネルを用いて受信したデータに対してカプセル化解除処理を実行して、第１情報及び第２情報を取得する。
【０１７０】
中間チャネルは同じ論理チャネル及び同じトランスポートチャネルを含む。
【０１７１】
方法２。
【０１７２】
端末装置は、物理レイヤにおいて、受信したデータに対して物理レイヤ処理を実行して、物理レイヤ処理の実行されたデータを取得する。
【０１７３】
端末装置は、物理レイヤ処理の実行されたデータを中間チャネルにマッピングして、データを第１プロトコルレイヤへ送信する。
【０１７４】
端末装置は、第１プロトコルレイヤにおいて、中間チャネルを用いて受信したデータに対してカプセル化解除処理を実行して、第１情報及び第２情報を取得する。
【０１７５】
中間チャネルは、同じ論理チャネル及び同じトランスポートチャネルを含む、又は、中間チャネルは、異なる論理チャネル及び同じトランスポートチャネルを含む。
【０１７６】
方法３。
【０１７７】
端末装置は、物理レイヤにおいて、受信したデータに対して物理レイヤ処理を実行して、物理レイヤ処理の実行された第１データ及び第２データを取得する。
【０１７８】
端末装置は、物理レイヤ処理の実行された第１データを第１中間チャネルにマッピングして、第１データを第１プロトコルレイヤへ送信する。
【０１７９】
端末装置は、物理レイヤ処理の実行された第２データを第２中間チャネルにマッピングして、第２データを第１プロトコルレイヤへ送信する。
【０１８０】
端末装置は、第１プロトコルレイヤにおいて、第１中間チャネルを用いて受信した第１データに対してカプセル化解除処理を実行して、第１情報を取得する。
【０１８１】
端末装置は、第１プロトコルレイヤにおいて、第２中間チャネルを用いて受信した第２データに対してカプセル化解除処理を実行して、第２情報を取得する。
【０１８２】
方法４。
【０１８３】
端末装置が、受信したデータを処理して、第１プロトコルレイヤにおいて第１情報及び第２情報を取得することは、端末装置により、物理レイヤにおいて、受信した第３データに対して物理レイヤ処理を実行して、物理レイヤ処理の実行された第３データを取得し、端末装置により、物理レイヤにおいて、受信した第４データに対して物理レイヤ処理を実行して、物理レイヤ処理の実行された第４データを取得し、端末装置により、物理レイヤ処理の実行された第３データを第１中間チャネルにマッピングし、第３データを第１プロトコルレイヤへ送信し、端末装置により、物理レイヤ処理の実行された第４データを第２中間チャネルにマッピングし、第４データを第１プロトコルレイヤへ送信し、端末装置により、第１プロトコルレイヤにおいて、第１中間チャネルを用いて受信した第３データに対してカプセル化解除処理を実行して、第１情報を取得し、端末装置により、第１プロトコルレイヤにおいて、第２中間チャネルを用いて受信した第４データに対してカプセル化解除処理を実行して、第２情報を取得すること、を含む。
【０１８４】
理解されるべきことに、端末装置が前述の方法のうちのいずれか１つを用いて、受信したデータを処理する特定の処理は、ネットワーク装置が対応する方法を用いて第１情報及び第２情報を処理し送信する特定の処理と同様である。簡単に言うと、特定の処理の詳細な説明はここでは省略される。
【０１８５】
任意で、方法４００は、SSBに対応する時間ドメインリソースに基づき、セル無線フレームとの時系列整合を実施するために、端末装置により、第２情報に基づき、SSBに対応する時間ドメインリソースを決定するステップを更に含む。
【０１８６】
第２情報は、SS  burst  setの中の被送信SSBの第１TI、又はSS  burstの中の被送信SSBの第２TIとSS  burstの属するSS  burst  setの中のSS  burstの第３TIとの組み合わせを含んでよいことは、Ｓ４１０で既に記載された。
【０１８７】
第１TI又は台２TIと第３TIとの組み合わせを第２情報から取得した後に、端末装置は、SSBの時間ドメインリソース位置とSSBのTIとの間の予め指定された１対１対応に基づき、受信したSSBに対応する時間周波数リソース位置を決定し、セル無線フレームとの時系列整合を実施するためにフレーム境界及びスロット境界を推定してよい。
【０１８８】
理解されるべきことに、端末装置とセル無線フレームとの間の時系列整合の特定の処理は、従来技術におけるものと同じであってよい。簡単に言うと、特定の処理の詳細な説明はここでは省略される。
【０１８９】
したがって、本願の本実施形態では、ネットワーク装置は、第１情報及び第２情報を第１プロトコルレイヤにおいて生成し、第２情報に基づき決定したSSBの中のPBCHを用いて、第１情報及び第２情報を端末装置へ送信する。その結果、端末装置は、受信したデータを処理して、第１プロトコルレイヤにおいて第１情報及び第２情報を取得し、SSBの時間周波数リソースを決定し、フレーム境界及びスロット境界を推定し、セル無線フレームとの時系列整合を実施できる。これは、NRマルチビームシナリオに適用可能である。
【０１９０】
以上は、図４〜図９を参照して、本願の実施形態における情報送信及び受信方法を詳細に記載した。以下は、図１０〜図１３を参照して本願の実施形態におけるネットワーク装置及び端末装置を詳細に記載する。
【０１９１】
本発明の一実施形態は、ネットワーク装置を更に提供する。以下は、図１０を参照してネットワーク装置の構造及び機能を記載する。図１０は、本願の一実施形態によるネットワーク装置１０の概略構造図である。ネットワーク装置１０は、図４に示した情報送信及び受信方法４００におけるネットワーク装置であってよい。図１０に示すように、ネットワーク装置１０は、通信機１１及びプロセッサ１２を含む。
【０１９２】
任意で、通信機１１は、リモート無線ユニット（remote  radio  unit,  RRU）、通信機ユニット、受信機／送信機、通信機回路、等と呼ばれてよい。通信機１１は、少なくとも１つのアンテナ１１１及び無線周波数ユニット１１２を含んでよく、通信機１１は、無線周波数信号を受信し及び送信し、並びに無線周波数信号とベースバンド信号との間の変換を実行するよう構成されてよい。
【０１９３】
任意で、ネットワーク装置１０は、１つ以上のベースバンドユニット（Baseband  Unit,  BBU）１３を含む。ベースバンドユニットはプロセッサ１２を含む。ベースバンドユニット１３は、主に、チャネル符号化、多重化、変調、及びスペクトル拡散のようなベースバンド処理を実行し、基地局を制御するよう構成される。通信機１１及びベースバンドユニット１３は、物理的に一緒に配置されてよく、又は物理的に互いに分離され、つまり分散型基地局であってよい。
【０１９４】
一例では、ベースバンドユニット１３は、１つ以上の基板を含んでよく、複数の基板は、単一のアクセス規格の無線アクセスネットワークを一緒にサポートしてよく、又は異なるアクセス規格の無線アクセスネットワークを別個にサポートしてよい。ベースバンドユニット１３はプロセッサ１２を含む。プロセッサ１２は、図４〜図９を参照して記載した前述の方法の実施形態における対応する動作を実行するよう、ネットワーク装置１０を制御するよう構成されてよい。任意で、ベースバンドユニット１３は、必要な命令及び必要なデータを格納するよう構成されるメモリ１４を更に含んでよい。
【０１９５】
具体的に、プロセッサ１２は、第１プロトコルレイヤにおいて第１情報及び第２情報を生成するよう構成される。ここで、第１情報はシステム情報を含み、第２情報は、１つ以上の同期信号ブロックSSBに対応する時間周波数リソースを決定するために使用され、第１プロトコルレイヤは、物理レイヤ処理より上位のプロトコルレイヤである。
【０１９６】
プロセッサ１２は、第１情報及び第２情報を第１プロトコルレイヤから物理レイヤへ送信するよう更に構成される。
【０１９７】
プロセッサ１２は、第１情報及び第２情報に対して物理レイヤ処理を実行するよう更に構成される。
【０１９８】
通信機１１は、SSB内の物理ブロードキャストチャネルPBCHを用いて、物理レイヤ処理の後に取得されたデータを送信するよう構成される。
【０１９９】
理解されるべきことに、ネットワーク装置１０は、本発明の実施形態による情報送信及び受信方法４００におけるネットワーク装置に対応してよい。ネットワーク装置１０は、図４の情報送信及び受信方法４００におけるネットワーク装置により実行される方法を実行するよう構成されるモジュールを含んでよい。さらに、ネットワーク装置１０内のモジュール、及び前述の他の動作及び／又は機能は、それぞれ、図４の情報送信及び受信方法４００の対応する手順を実施することを意図する。具体的に、プロセッサ１２は、方法４００のＳ４１０〜Ｓ４３０を実行するよう構成され、通信機１１は、方法４００のＳ４４０を実行するよう構成される。前述の対応するステップをモジュールにより実行する特定の処理については、図４〜図９の方法の実施形態を参照する前述の記載を参照する。簡潔さのために、詳細はここで再び記載されない。
【０２００】
本発明の一実施形態は、ネットワーク装置を更に提供する。以下は、図１１を参照してネットワーク装置の構造及び機能を記載する。図１１は、本願の一実施形態によるネットワーク装置２０の概略構造図である。ネットワーク装置２０は、図４に示した情報送信及び受信方法４００におけるネットワーク装置であってよい。図１１に示すように、ネットワーク装置２０は、処理ユニット２１及び通信機ユニット２２を含む。処理ユニット２１及び通信機ユニット２２は、ソフトウェア又はハードウェアにより実装されてよい。処理ユニット及び通信機ユニット２２がハードウェアにより実装されるとき、処理ユニット２１は図１０のプロセッサ１１であってよく、通信機ユニット２２は図１０の通信機１２であってよい。
【０２０１】
本願の一実施形態は、端末装置を更に提供する。以下は、図１２を参照して端末装置の構造及び機能を記載する。図１２は、本願の一実施形態による端末３０の概略構造図である。端末装置３０は、図４に示した情報送信及び受信方法４００における端末装置であってよい。図１２に示すように、端末装置３０は、プロセッサ３１及び通信機３２を含む。
【０２０２】
任意で、通信機３２は、制御回路及びアンテナを含んでよい。制御回路は、ベースバンド信号と無線周波数信号との間の変換を実行し、無線周波数信号を処理するよう構成されてよく、アンテナは無線周波数信号を受信し及び送信するよう構成されてよい。
【０２０３】
任意で、端末装置３０は、メモリ、入力／出力機器、等を更に含んでよい。
【０２０４】
プロセッサ３１は、通信プロトコル及び通信データを処理し、端末装置全体を制御し、ソフトウェアプログラムを実行し、ソフトウェアプログラムのデータを処理するよう構成され、例えば、図４〜図９を参照して記載した前述の対応する動作を実行する際に端末装置をサポートするよう構成されてよい。メモリは、主にソフトウェアプログラム及びデータを格納するよう構成される。端末装置が起動された後に、プロセッサ３１は、メモリ内のソフトウェアプログラムを読み出し、ソフトウェアプログラムの命令を解釈し及び実行し、ソフトウェアプログラムのデータを処理してよい。
【０２０５】
具体的に、通信機３１は、物理ブロードキャストチャネルPBCHで、ネットワーク装置により送信されたデータを受信するよう構成される。ここで、データは第１情報及び第２情報を含み、第１情報及び第２情報はネットワーク装置により第１プロトコルレイヤにおいて生成され、第１情報はシステム情報を含み、第２情報は、１つ以上の同期信号ブロックSSBに対応する時間周波数リソースを決定するために使用され、PBCHはSSBに対応する時間周波数リソースに位置付けられ、第１プロトコルレイヤは物理レイヤ処理より上位のプロトコルレイヤである。
【０２０６】
プロセッサ３２は、物理レイヤにおいて、受信したデータに対して物理レイヤ処理を実行するよう構成される。
【０２０７】
プロセッサ３２は、物理レイヤから第１プロトコルレイヤへ、物理レイヤ処理の実行されたデータを送信するよう更に構成される。
【０２０８】
プロセッサ３２は、第１プロトコルレイヤにおいて、物理レイヤ処理の実行されたデータを処理して、第１情報及び第２情報を取得するよう更に構成される。
【０２０９】
理解されるべきことに、端末装置３０は、本発明の実施形態による情報送信及び受信方法４００における端末装置に対応してよい。端末装置３０は、図４の情報送信及び受信方法４００における端末装置により実行される方法を実行するよう構成されるモジュールを含んでよい。さらに、端末装置３０内のモジュール、及び前述の他の動作及び／又は機能は、それぞれ、図４の情報送信及び受信方法４００の対応する手順を実施することを意図する。具体的に、通信機３１は、方法４００のＳ４４０を実行するよう構成され、プロセッサ３２は、方法４００のＳ４５０〜Ｓ４７０を実行するよう構成される。前述の対応するステップをモジュールにより実行する特定の処理については、図４〜図９の方法の実施形態を参照した前述の記載、特に図４〜図９を参照した記載を参照する。簡潔さのために、詳細はここで再び記載されない。
【０２１０】
本願の一実施形態は、端末装置を更に提供する。以下は、図１３を参照して端末装置の構造及び機能を記載する。図１３は、本願の一実施形態による端末装置４０の概略構造図である。端末装置４０は、図４に示した情報送信及び受信方法４００における端末装置であってよい。図１３に示すように、端末装置４０は、通信機ユニット４１及び処理ユニット４２を含む。通信機ユニット４１及び処理ユニット４２は、ソフトウェア又はハードウェアにより実装されてよい。通信機ユニット４１及び処理ユニット４２がハードウェアにより実装されるとき、通信機ユニット４１は図１２の通信機３２であってよく、処理ユニット４２は図１２のプロセッサ３１であってよい。
【０２１１】
理解されるべきことに、本願の本実施形態では、プロセッサは中央処理ユニット（Central  Processing  Unit,  CPU）であってよく、又はプロセッサは別の汎用プロセッサ、デジタル信号プロセッサ（digital  signal  processor,  DSP）、特定用途向け集積回路（application-specific  integrated  circuit,  ASIC）、フィールドプログラマブルゲートアレイ（field  programmable  gate  array,  FPGA）、又は別のプログラマブル論理素子、個別ゲート若しくはトランジスタ論理素子、個別ハードウェア部品、等であってよい。
【０２１２】
更に理解されるべきことに、本願の本実施形態におけるメモリは、揮発性メモリ又は不揮発性メモリであってよく、或いは揮発性メモリ及び不揮発性メモリの両者を含んでよい。不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリであってよい。揮発性メモリは、外部キャッシュとして使用されるランダムアクセスメモリ（Random  Access  Memory,  RAM）であってよい。例示的であるが限定的でない説明を通じて、多くの形式のランダムアクセスメモリ（random  access  memory,  RAM）、例えば、静的ランダムアクセスメモリ（static  RAM,  SRAM）、動的ランダムアクセスメモリ（DRAM）、同期動的ランダムアクセスメモリ（synchronous  DRAM,  SDRAM）、ダブルデータレート同期動的ランダムアクセスメモリ（double  data  rate  SDRAM,  DDR  SDRAM）、拡張同期動的ランダムアクセスメモリ（enhanced  SDRAM,  ESDRAM）、同期リンク動的ランダムアクセスメモリ（synchlink  DRAM,  SLDRAM）、及び直接ランバスランダムアクセスメモリ（direct  rambus  RAM,  DR  RAM）が利用可能である。
【０２１３】
前述の実施形態の全部又は一部は、ソフトウェア、ハードウェア、ファームウェア又はそれらの任意の組み合わせを用いて実施されてよい。実施形態を実施するためにソフトウェアが使用されるとき、前述の実施形態の全部又は一部は、コンピュータプログラムプロダクトの形式で実施されてよい。コンピュータプログラムプロダクトは、１つ以上のコンピュータ命令を含む。コンピュータプログラム命令がコンピュータ上にロードされ実行されると、本願の実施形態による手順又は機能の全部又は一部が生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はあるコンピュータ可読記憶媒体から別のコンピュータ可読記憶媒体へ送信されてよい。例えば、コンピュータ命令は、あるウェブサイト、コンピュータ、サーバ、又はデータセンタから、別のウェブサイト、コンピュータ、サーバ、又はデータセンタへ、有線（例えば、赤外線、無線、又はマイクロ波）方式で送信されてよい。コンピュータ可読記憶媒体は、コンピュータ、又は１つ以上の使用可能媒体セットを含むサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、デジタルバーサタイルディスク（digital  versatile  disc,  DVD））、半導体媒体等であってよい。半導体媒体は、固体ドライブであってよい。
【０２１４】
本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表し得る。Aのみが存在する、AとBの両方が存在する、並びに、Bのみが存在する。さらに、本願明細書中の記号「／」は、通常、関連するオブジェクト間の「又は」の関係を示す。
【０２１５】
当業者は、本願明細書に開示の実施形態を参照して記載された例におけるユニット及びアルゴリズムのステップが、電子ハードウェア又はコンピュータソフトウェア及び電子ハードウェアの組み合わせにより実施可能であることを認識し得る。機能がハードウェア又はソフトウェアにより実行されるかは、技術的ソリューションの特定の適用及び設計制約に依存する。当業者は、各々の特定の適用について記載の機能を実施するために異なる方法を使用し得るが、実装が本願の範囲を超えると考えられるべきではない。
【０２１６】
便宜上及び簡潔な説明のために、記載のシステム、機器、及びユニットの詳細な動作処理については、前述の方法の実施形態における対応する処理を参照することが、当業者により明らかに理解され得る。
【０２１７】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電子的形式、機械的形式又は別の形式で実装されてよい。
【０２１８】
別個の部分として記載されたユニットは、物理的に別個であり若しくはそうでなくてよい。また、ユニットとして表示された部分は、物理的なユニットであり若しくはそうでなくてよく、１カ所に置かれてよく或いは複数のネットワークユニットに分散されてよい。一部又は全部のユニットは、実施形態のソリューションの目的を達成するために実際の要件に基づき選択されてよい。
【０２１９】
さらに、本願の実施形態における機能ユニットは、１つの処理ユニットに統合されてよく、或いは各ユニットが物理的に単独で存在してよく、或いは２以上のユニットが１つのユニットに統合されてよい。
【０２２０】
機能がソフトウェア機能ユニットの形式で実装され、独立した製品として販売され又は使用されるとき、機能は、コンピュータ可読記憶媒体に格納されてよい。このような理解に基づき、本願の基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置であってよい）に、本願の実施形態で記載された方法のステップの全部又は一部を実行するよう指示する複数の命令を含む。前述の記憶媒体は、USBフラッシュドライブ、取り外し可能ハードディスク、読み出し専用メモリ（ROM）、ランダムアクセスメモリ（RAM）、磁気ディスク又はコンパクトディスクのような、プログラムコードを格納可能な任意の媒体を含む。
【０２２１】
上述の説明は、本願の単なる特定の実装であり、本願の保護範囲を制限することを意図しない。本願に開示された技術範囲内にある、当業者により直ちに考案される任意の変形又は置換は、本願の保護範囲に包含されるべきである。したがって、本願の保護範囲は、請求項の保護範囲に従うべきである。
【図１】
0006875554.tif 000002
【図２】
0006875554.tif 000003
【図３】
0006875554.tif 000004
【図４】
0006875554.tif 000005
【図５】
0006875554.tif 000006
【図６】
0006875554.tif 000007
【図７】
0006875554.tif 000008
【図８】
0006875554.tif 000009
【図９】
0006875554.tif 000010
【図１０】
0006875554.tif 000011
【図１１】
0006875554.tif 000012
【図１２】
0006875554.tif 000013
【図１３】
0006875554.tif 000014